(57)【要約】【課題】映像及び音声信号から伝送用のテレビ放送信号を生成するヘッドエンド装置において、テレビ放送信号の伝送ＣＨ（ＣＨ：チャンネル）設定時に、ＣＡＴＶで既に伝送されている放送信号と同じ伝送ＣＨが設定されるのを防止する。【解決手段】ＢＳデジタル放送を各放送ＣＨ毎に選局・復調し、復調した映像及び音声信号をＮＴＳＣ方式のアナログテレビ放送信号に変換して、伝送線上に送出する複数の復変調部を備えたヘッドエンド装置において、各復変調部で生成されるアナログテレビ放送信号の伝送ＣＨを設定する際、伝送ＣＨの変更指令に応じて、伝送ＣＨを最大ＣＨ〜最小ＣＨの範囲内でＵＰ・ＤＯＷＮし（２２０〜２４０、２８０〜３００）、ＵＰ・ＤＯＷＮ後の伝送ＣＨが他の放送信号の伝送ＣＨと重複しない空きＣＨであれば、その伝送ＣＨを新たな伝送ＣＨとして設定し（Ｓ２６０）、そうでなければ再設定する。【選択図】　図３
2004072688.tif 000002
【特許請求の範囲】
【請求項１】
映像及び音声信号を、予め設定された伝送チャンネルのテレビ放送信号に変換して出力する複数の変換手段と、
該各変換手段が出力するテレビ放送信号の伝送チャンネルを外部操作によって指令するための操作部と、
該操作部からの指令に従い前記各変換手段が出力するテレビ放送信号の伝送チャンネルを各々設定する伝送チャンネル設定手段と、
を備え、前記各変換手段から出力されるテレビ放送信号を含む多数のテレビ放送信号を混合してＣＡＴＶシステムの伝送線上に送出するヘッドエンド装置であって、
当該ヘッドエンド装置が伝送線上に送出している各テレビ放送信号の伝送チャンネルを記憶する記憶手段を備え、
前記伝送チャンネル設定手段は、前記操作部を介して特定の変換手段に対する伝送チャンネルの変更指令が入力されると、前記記憶手段に記憶された伝送チャンネルに基づき、当該ヘッドエンド装置が伝送線上に送出しているテレビ放送信号の伝送チャンネルと重複することのない伝送チャンネルを、前記変更指令に対応した特定の変換手段が出力するテレビ放送信号の伝送チャンネルとして設定すると共に、該設定した伝送チャンネルに対応して前記記憶手段の記憶内容を更新することを特徴とするヘッドエンド装置。
【請求項２】
デジタルテレビ放送を受信する受信アンテナからの受信信号の中から、予め設定された放送チャンネルのデジタルテレビ放送信号を選局して、映像及び音声信号を復調する複数の受信手段を備え、
前記各変換手段は、各受信手段にて復調された映像及び音声信号をアナログテレビ放送信号に変換することを特徴とする請求項１記載のヘッドエンド装置。
【請求項３】
請求項１又は請求項２に記載のヘッドエンド装置を備え、該ヘッドエンド装置から伝送線上に送出された多数のテレビ放送信号を、該伝送線を介して複数の端末まで伝送することを特徴とするＣＡＴＶシステム。
【発明の詳細な説明】
【０００１】
【発明の属する技術分野】
本発明は、映像及び音声信号から伝送用のテレビ放送信号を生成する複数の変調器を備え、各変調器で生成したテレビ放送信号をＣＡＴＶシステムの伝送線上に送出するヘッドエンド装置、及び、このヘッドエンド装置を備えたＣＡＴＶシステムに関する。
【０００２】
【従来の技術】
従来より、テレビ放送としては、地上局を利用した地上波放送、放送衛星（ＢＳ）を利用したＢＳ放送、通信衛星（ＣＳ）を利用したＣＳ放送等が知られている。そして、これらのテレビ放送を再送信するＣＡＴＶシステムにおいては、ヘッドエンド装置側で、各放送電波を受信し、その受信信号をそのまま周波数変換したり、或いは、受信信号に含まれるテレビ放送信号を個々に周波数変換することにより、複数のテレビ放送信号を、ＣＡＴＶシステムで伝送可能な周波数帯域内に納め、伝送線上に送出するようにしている。
【０００３】
ところで、近年、ＢＳ放送では、従来より行われていたＢＳアナログ放送に加えて、ＢＳデジタル放送が開始された。そして、ＣＡＴＶシステムにおいて、このＢＳデジタル放送の受信信号を、従来と同様にそのまま（若しくは周波数変換しただけで）伝送線に送出するようにすると、ＢＳアナログ放送等の他の受信信号を伝送できなくなることがあった。また、ＢＳデジタル放送を受信アンテナにて受信した信号形態でそのまま伝送すると、端末側でＢＳデジタル放送を視聴する際に、ＢＳデジタル放送専用の受信機が必要になる。
【０００４】
そこで、従来より、こうしたＢＳデジタル放送をＣＡＴＶシステムで再送信する方法の一つとして、ヘッドエンド装置側で、ＢＳデジタル放送専用の複数の受信機を用いて、各々異なる放送チャンネルのデジタルテレビ放送信号を選局・復調し、更に、その復調した映像及び音声信号を、夫々、変調器を用いて、所定伝送チャンネルのアナログテレビ放送信号（日本国内の場合、ＮＴＳＣ方式のテレビ放送信号）に変換し、その変換後のテレビ放送信号を伝送線上に送出する方法が考えられている。
【０００５】
つまり、このようにすれば、ＣＡＴＶシステムでは、ＢＳデジタル放送で提供される各放送チャンネルの映像及び音声信号を、地上波放送と同じ周波数帯（ＶＨＦ若しくはＵＨＦ帯）のアナログテレビ放送信号として伝送できることになり、しかも、端末側では、一般的なテレビ受像器を用いて、ＢＳデジタル放送を視聴できることになる。
【０００６】
【発明が解決しようとする課題】
ところで、上記のように、ヘッドエンド装置に、映像及び音声信号を伝送用のテレビ放送信号に変換する複数の変調器を設けた場合、各変調器が生成するテレビ放送信号の伝送チャンネルを、各変調器毎に異なるチャンネルに設定する必要があることから、各変調器には、生成するテレビ放送信号の伝送チャンネルを外部操作によって設定するための操作部が設けられる。
【０００７】
そして、ＣＡＴＶシステムの運用開始時やＣＡＴＶシステムの放送番組の改変時、或いは、ＣＡＴＶシステムのメンテナンス時等には、この操作部を介して、各変調器が生成するテレビ放送信号の伝送チャンネルが変更される。
しかしながら、こうした変調器のチャンネル設定は、通常、各変調器毎に個々に独立して行われることから、システム運用時に放送番組の改変或いはメンテナンスのために特定の変調器の伝送チャンネルを設定する際、その変調器の伝送チャンネルが、一時的に、ＣＡＴＶシステムで既に伝送されているテレビ放送信号（例えば、他の変調器が生成しているテレビ放送信号の伝送チャンネル）と同じ伝送チャンネルに設定されてしまい、端末側では、伝送チャンネルを設定中のテレビ放送だけでなく、その設定中の伝送チャンネルと同じテレビ放送についても視聴できなくなってしまう、という問題があった。
【０００８】
つまり、内容の異なる２つのテレビ放送信号が同一の伝送チャンネルに設定されると、その２つのテレビ放送信号同士が干渉して、端末側では、そのチャンネルのテレビ放送信号を正常に復調することができなくなってしまうのである。
本発明は、こうした問題に鑑みなされたものであり、映像及び音声信号から伝送用のテレビ放送信号を生成する複数の変調器を備えたヘッドエンド装置において、各変調器の伝送チャンネル設定時に、一時的にせよ、ＣＡＴＶシステムで既に伝送されているテレビ放送信号と同じ伝送チャンネルのテレビ放送信号が生成されるのを防止することを目的とする。
【０００９】
【課題を解決するための手段】
かかる目的を達成するためになされた請求項１記載のヘッドエンド装置においては、映像及び音声信号を予め設定された伝送チャンネルのテレビ放送信号に変換して出力する複数の変換手段を備え、これら各変換手段から出力されるテレビ放送信号を含む多数のテレビ放送信号を混合してＣＡＴＶシステムの伝送線上に送出する。また、各変換手段には、各変換手段が出力するテレビ放送信号の伝送チャンネルを外部操作によって指令するための操作部が備えられ、この操作部からテレビ放送信号の伝送チャンネルの変更指令が入力されると、伝送チャンネル設定手段が、その変更指令に従い、その変更指令に対応した変換手段が出力するテレビ放送信号の伝送チャンネルを設定する。
【００１０】
また、本発明のヘッドエンド装置には、ヘッドエンド装置が伝送線上に送出している各テレビ放送信号の伝送チャンネルを記憶する記憶手段が設けられ、伝送チャンネル設定手段が、操作部からの変更指令に従い伝送チャンネルを設定する際には、その記憶手段に記憶された伝送チャンネルに基づき、ヘッドエンド装置から伝送線上に送出されているテレビ放送信号の伝送チャンネルと重複することのない伝送チャンネルを、変更指令に対応した変換手段が出力するテレビ放送信号の伝送チャンネルとして設定し、更に、その設定した伝送チャンネルに対応して記憶手段の記憶内容を更新する。
【００１１】
従って、本発明のヘッドエンド装置によれば、操作部を操作して、各変換手段が映像及び音声信号から生成するテレビ放送信号の伝送チャンネルを設定する際、伝送チャンネルの設定対象となる変換手段の伝送チャンネルが、一時的にせよ、当該ヘッドエンド装置が伝送線上に送出している多数のテレビ放送信号の伝送チャンネルと重複するようなことはなく、端末側では、伝送チャンネルの設定対象となっている変換手段が生成するテレビ放送信号を除き、全てのテレビ放送信号を問題なく視聴できることになる。
【００１２】
また、各変換手段の伝送チャンネルの設定時、その設定作業を行う作業者は、設定対象となる変換手段の伝送チャンネルが、他のテレビ放送信号の伝送チャンネルと重複することのないように、操作部を操作する必要がないため、伝送チャンネルの設定作業を容易に行うことができる。
【００１３】
次に、請求項２に記載のヘッドエンド装置には、デジタルテレビ放送を受信する受信アンテナからの受信信号の中から、予め設定された放送チャンネルのデジタルテレビ放送信号を選局して、映像及び音声信号を復調する複数の受信手段が備えられ、各変換手段は、各受信手段にて復調された映像及び音声信号をアナログテレビ放送信号に変換する。
【００１４】
従って、このヘッドエンド装置を用いれば、ＢＳデジタル放送等のデジタルテレビ放送を、地上波放送と同様のアナログテレビ放送信号として、端末側に伝送できることになり、従来技術の項にて説明したＣＡＴＶシステムを容易に構築できる。そして、このヘッドエンド装置においても、変調手段が生成するテレビ放送信号の伝送チャンネルを設定する際に、その伝送チャンネルが、一時的にせよ、ヘッドエンド装置が伝送線上に送出しているテレビ放送信号と同じ伝送チャンネルに設定されることはないので、請求項１に記載のヘッドエンド装置と同様の効果を得ることができる。
【００１５】
一方、請求項３に記載のＣＡＴＶシステムは、請求項１又は請求項２に記載のヘッドエンド装置を備え、このヘッドエンド装置から伝送線上に送出された多数のテレビ放送信号を、伝送線を介して複数の端末まで伝送する。よって、このＣＡＴＶシステムによれば、放送番組の改変、保守・点検等のために、ヘッドエンド装置側で各変調手段の伝送チャンネルの設定作業が行われているときに、複数のテレビ放送信号を同一の伝送チャンネルで伝送してしまうのを防止し、各種テレビ放送信号の伝送品質を確保することができる。
【００１６】
【発明の実施の形態】
以下に本発明の実施例を図面と共に説明する。
図１は、本発明が適用された実施例のＣＡＴＶシステム全体の構成を表す構成図である。
【００１７】
図１に示すように、本実施例のＣＡＴＶシステムは、ＶＨＦテレビ放送（アナログ）を行う地上局からの放送電波を受信するＶＨＦアンテナ２、ＵＨＦテレビ放送（アナログ放送）を行う地上局からの放送電波を受信するＵＨＦアンテナ４、ＣＳ放送用の通信衛星（ＣＳ）からの放送電波を受信し、その受信信号を所定の中間周波数帯のＣＳ受信信号に周波数変換して出力するＣＳアンテナ６、及び、ＢＳデジタル放送を行う放送衛星（ＢＳ）からの放送電波を受信し、その受信信号を所定の中間周波数帯のＢＳ受信信号に周波数変換して出力するＢＳアンテナ８を備えたヘッドエンド装置１０と、ヘッドエンド装置１０から送出される多数のテレビ放送信号を端末側に伝送する伝送線（同軸ケーブル）Ｌと、伝送線Ｌ上に設けられて伝送線Ｌを流れる伝送信号（ヘッドエンド装置１０から送出されたテレビ放送信号等）を増幅する増幅器１４，１６と、分岐或いは分配用の各種伝送機器（図示せず）とから構成されている。
【００１８】
ここで、ヘッドエンド装置１０においては、ＶＨＦアンテナ２、ＵＨＦアンテナ４、及びＣＳアンテナ６からの受信信号については、そのまま、若しくは、伝送用の周波数帯に周波数変換した後、送出装置１２から伝送線Ｌ上に送出し、ＢＳアンテナ８からのＢＳ受信信号については、ユニット１〜ユニットｎからなるｎ個の復変調部２０において、各放送チャンネル毎に選局・復調することにより一旦映像及び音声信号に戻し、更に、その映像及び音声信号を再度変調することにより、ＶＨＦ・ＵＨＦの地上波放送と同じＮＴＳＣ方式で所定伝送チャンネルのアナログテレビ放送信号を生成し、その生成したテレビ放送信号を、他のテレビ放送信号と一緒に、送出装置１２から伝送線Ｌ上に送出するようにされている。
【００１９】
即ち、ヘッドエンド装置１０には、ＢＳアンテナ８からのＢＳ受信信号をｎ個に分配する分配器１１が設けられており、この分配器１１にて分配されたｎ個のＢＳ受信信号を、夫々、ユニット１〜ユニットｎからなるｎ個の復変調部２０に入力するようにされている。
【００２０】
また、各復変調部２０には、分配器１１を介して入力されるＢＳ受信信号の中から、予め設定された放送チャンネルのテレビ放送信号（デジタルテレビ放送信号）を選局し、そのテレビ放送信号に含まれる映像及び音声信号を復調する、受信手段としてのＢＳデジタル受信機２２と、ＢＳデジタル受信機２２で復調された映像及び音声信号を、所定伝送チャンネルのテレビ放送信号（ＮＴＳＣ方式のアナログテレビ放送）に変換する、変換手段としての変調器２４とが設けられている。
【００２１】
そして、この変調器２４にて生成されたテレビ放送信号は、送出装置１２に出力され、送出装置１２にて他のテレビ放送信号と混合されて、伝送線Ｌ上に送出される。
一方、各復変調部２０に設けられたＢＳデジタル受信機２２には、ヘッドエンド装置１０のコストを抑えるために、システム専用（所謂業務用）の受信機ではなく、市販（所謂民生用）の受信機（所謂ＢＳデジタルチューナ）が用いられている。そして、各ＢＳデジタル受信機２２は、その受信機に付属している遠隔操作用のリモートコントロール装置（以下、リモコン装置という）３２を用いて、選局チャンネルを設定できるようにされている。
【００２２】
即ち、ヘッドエンド装置１０には、リモコン装置３２を操作することによりリモコン装置３２から無線送信される各種指令信号（本実施例では赤外線信号）を受信する受光部３３と、この受光部３３が受信したリモコン装置３２からの指令信号を、ユニット１〜ユニットｎからなるｎ個の復変調部２０の何れかに設けられた一つのＢＳデジタル受信機２２に選択的に出力する信号経路切換スイッチ３７と、この信号経路切換スイッチ３７を介して指令信号を選択的に出力するＢＳデジタル受信機２２（換言すれば復変調部２０）を指定するための入力パネル５０と、入力パネル５０を介して指定されたＢＳデジタル受信機２２に応じて、信号経路切換スイッチ３７からの指令信号の出力先を自動で切り換えるマイクロコンピュータ（以下、マイコンという）３０とが設けられている。
【００２３】
このため、本実施例のヘッドエンド装置１０においては、作業者が入力パネル５０を操作して選局チャンネルを設定したいＢＳデジタル受信機２２を指定すれば、マイコン３０が、その指定されたＢＳデジタル受信機２２に受光部３３からの指令信号が入力されるように、信号経路切換スイッチ３７を駆動し、更に、作業者がリモコン装置３２を操作してＢＳデジタル受信機２２の選局チャンネルを指定すれば、信号経路切換スイッチ３７を介して、使用者が指定した特定のＢＳデジタル受信機２２に選局チャンネル設定用の指令信号が入力されることになる。
【００２４】
よって、本実施例のヘッドエンド装置１０によれば、ユニット１〜ユニットｎの各復変調部２０に設けられたＢＳデジタル受信機２２が選局・復調するＢＳデジタル放送の選局チャンネルを、リモコン操作によって極めて簡単に設定できるようになるのである。
【００２５】
また、入力パネル５０は、選局チャンネルの設定対象となるＢＳデジタル受信機２２（換言すれば復変調部２０）を指定できるだけでなく、各復変調部２０に設けられた変調器２４が生成するテレビ放送信号の伝送チャンネルも指定できるようにされている。
【００２６】
つまり、入力パネル５０には、図２に示すように、各復変調部２０を表すユニット番号（ユニット１〜ユニットｎ）が記載されており、その記載された各ユニット番号毎に、ユニット番号に対応した復変調部２０を操作対象として選択するための選択ボタン５１、その復変調部２０が操作対象として選択されているか否かを表示するための選択ランプ５２、その復変調部２０（詳しくは変調器２４）から出力されるテレビ放送信号の伝送チャンネルを表示する伝送チャンネル表示部５３、その伝送チャンネルの上側への変更指令を入力するためのＵＰボタン５４、同じく伝送チャンネルの下側への変更指令を入力するためのＤＯＷＮボタン５５、その復変調部２０のＢＳデジタル受信機２２が選局中の放送チャンネル（ＢＳデジタル放送のチャンネル）を表示する選局チャンネル表示部５６が配置されている。
【００２７】
そして、マイコン３０は、選択ボタン５１の操作によってユニット１〜ユニットｎの何れかが選択されると、その選択されたユニット番号に対応する復変調部２０を、ＣＨ設定対象ユニット（ＣＨはチャンネルを表す）として、そのＣＨ設定対象ユニットの選択ランプ５２を点灯（他のユニットの選択ランプ５２は消灯）すると共に、そのＣＨ設定対象ユニットのＢＳデジタル受信機２２に受光部３３からの指令信号が入力されるように信号経路切換スイッチ３７を駆動し、更に、この状態で、ＣＨ設定対象ユニットのＵＰボタン５４又はＤＯＷＮボタン５５が操作されると、図３に示す伝送チャンネル変更処理を実行することにより、ＣＨ設定対象ユニットの変調器２４が生成するテレビ放送信号の伝送チャンネルを切り換える。
【００２８】
尚、マイコン３０は、各ユニット（換言すれば各復変調部２０）毎に、ＢＳデジタル受信機２２が選局するテレビ放送信号（ＢＳデジタル放送）のチャンネル、及び、各ユニット内の変調器２４が生成するテレビ放送信号（アナログテレビ放送）のチャンネルをメモリ３１に記憶しており、その記憶した各チャンネルを、入力パネル５０の選局チャンネル表示部５６及び伝送チャンネル表示部５３に表示する。
【００２９】
また、メモリ３１には、各ユニット内の変調器２４が生成するテレビ放送信号（アナログテレビ放送）の伝送チャンネルに加えて、ＶＨＦアンテナ２及びＵＨＦアンテナ４にて受信された地上波のアナログテレビ放送信号が送出装置１２から伝送線Ｌ上に送出される際の伝送チャンネルが、伝送チャンネルテーブルとして記憶されている。
【００３０】
そして、マイコン３０は、各ユニット内の変調器２４の伝送チャンネルを変更する際に、その伝送チャンネルテーブルを読み出し、伝送チャンネルテーブルに記憶された伝送チャンネルと重複することのない空きチャンネルを、変調器２４の新たな伝送チャンネルとして設定する。
【００３１】
尚、本実施例では、メモリ３１が本発明の記憶手段として機能し、入力パネル５０が本発明の操作部として機能し、マイコン３０にて実行される伝送チャンネル変更処理によって、本発明の伝送チャンネル設定手段としての機能が実現される。
【００３２】
以下、このようにマイコン３０が、ＣＨ設定対象ユニット（復変調部２０）の変調器２４の伝送チャンネルを設定する際の処理手順（伝送チャンネル変更処理）を、図３に示すフローチャートに沿って説明する。
この伝送チャンネル変更処理は、上述したように、選択ボタン５１の操作によってｎ個の復変調部２０の内の一つがＣＨ設定対象ユニットとして選択されている状態で、そのＣＨ設定対象ユニットのＵＰボタン５４又はＤＯＷＮボタン５５が操作された際に実行される処理である。
【００３３】
図３に示すように、この伝送チャンネル変更処理が開始されると、まず、Ｓ２１０にて、今回のＣＨ更新指令は、ＵＰボタン５４の操作によるものであるか否かを判断し、ＵＰボタン５４の操作によってＣＨ更新指令が入力された場合（Ｓ２１０−ＹＥＳ）には、続くＳ２２０に移行して、ＣＨ設定対象ユニットの変調器２４が生成するアナログテレビ放送信号の伝送チャンネル（以下、伝送ＣＨと記載する）を、現在の伝送ＣＨに「１」を加えたチャンネルに変更する。
【００３４】
そして、続くＳ２３０では、その変更後の伝送ＣＨは、アナログテレビ放送信号の伝送ＣＨとして設定可能な最大ＣＨを越えているか否かを判断し、変更後の伝送ＣＨが最大ＣＨを越えていなければ、そのままＳ２５０に移行し、変更後の伝送ＣＨが最大ＣＨを越えていれば、続くＳ２４０にて、伝送ＣＨを、アナログテレビ放送信号の伝送ＣＨとして設定可能な最小ＣＨに変更した後、Ｓ２５０に移行する。
【００３５】
Ｓ２５０では、メモリ３１から伝送ＣＨテーブルを読み出し、Ｓ２２０若しくはＳ２４０にて変更された伝送ＣＨが、地上波放送及びＢＳデジタル放送用として既に割り当てられた伝送ＣＨに重複することのない空きＣＨであるか否かを判断する。
【００３６】
そして、変更後の伝送ＣＨが既に割り当てらた伝送ＣＨと重複していれば、再度Ｓ２２０に移行して、Ｓ２２０以降の処理を実行し、逆に、変更後の伝送ＣＨが空きＣＨであれば、Ｓ２６０に移行して、ＣＨ設定対象ユニットの変調器２４が生成するテレビ放送信号の伝送ＣＨを、変更後の伝送ＣＨに設定し、続くＳ２７０にて、メモリ３１内の伝送ＣＨテーブルを更新した後、当該処理を終了する。
【００３７】
一方、Ｓ２１０にて、今回のＣＨ更新指令は、ＤＯＷＮボタン５５の操作によるものであると判断された場合（Ｓ２１０−ＮＯ）には、Ｓ２８０に移行して、ＣＨ設定対象ユニットの変調器２４の伝送ＣＨを、現在の伝送ＣＨから「１」を減じたチャンネルに変更する。
【００３８】
そして、続くＳ２９０では、その変更後の伝送ＣＨは、アナログテレビ放送信号の伝送ＣＨとして設定可能な最小ＣＨよりも小さいか否かを判断し、変更後の伝送ＣＨが最小ＣＨ以上であれば、そのままＳ３１０に移行し、変更後の伝送ＣＨが最小ＣＨよりも小さければ、Ｓ３００にて、伝送ＣＨを、アナログテレビ放送信号の伝送ＣＨとして設定可能な最大ＣＨに変更した後、Ｓ３１０に移行する。
【００３９】
Ｓ３１０では、メモリ３１から伝送ＣＨテーブルを読み出し、Ｓ２８０若しくはＳ３００にて変更された伝送ＣＨが、地上波放送及びＢＳデジタル放送用として既に割り当てられた伝送ＣＨに重複することのない空きＣＨであるか否かを判断する。
【００４０】
そして、変更後の伝送ＣＨが既に割り当てられた伝送ＣＨと重複していれば、再度Ｓ２８０に移行して、Ｓ２８０以降の処理を実行し、逆に、変更後の伝送ＣＨが空きＣＨであれば、上述したＳ２６０及びＳ２７０の処理を実行した後、当該処理を終了する。
【００４１】
以上説明したように、本実施例のＣＡＴＶシステムにおいては、ヘッドエンド装置１０に設けられたユニット１〜ユニットｎからなるｎ個の復変調部２０にて、ＢＳデジタル放送で提供される各放送チャンネルのデジタルテレビ放送信号を一旦復調し、その復調により得られた映像及び音声信号を、地上波のテレビ放送信号と同じＮＴＳＣ方式で所定伝送チャンネルのアナログテレビ放送信号に変換して、伝送線Ｌ上に送出するようにされている。このため、ＣＡＴＶシステムの加入者は、地上波のテレビ放送を受信可能なテレビ受像機を用い手、ＢＳデジタル放送を視聴できる。
【００４２】
また、ＢＳデジタル放送を地上波放送と同じアナログテレビ放送として伝送する際の伝送チャンネルは、入力パネル５０を操作することにより、簡単に設定できるようにされており、しかも、その設定時には、上述したマイコン３０の動作によって、設定対象となる変調器２４から出力されるアナログテレビ放送信号の伝送チャンネルが、地上波放送及びＢＳデジタル放送用として既に割り当てられた伝送チャンネルと重複することのないように変更される。
【００４３】
このため、本実施例のＣＡＴＶシステムによれば、ヘッドエンド装置１０から伝送線Ｌ上に、同一伝送チャンネルに設定された複数のアナログテレビ放送信号が同時に送出されることはない。
よって、システム運用中に、ＢＳデジタル放送の伝送チャンネルを変更しても、端末側では、その伝送チャンネル変更中のテレビ放送を除く全てのテレビ放送を安定して視聴することが可能となる。また、この場合、作業者は、伝送チャンネルの設定対象となる変調器２４から出力されるアナログテレビ放送信号が、他のアナログテレビ放送信号の伝送チャンネルと重複することのないように、入力パネル５０を操作する必要がないため、伝送チャンネルの設定作業を容易に行うことができる。
【００４４】
以上、本発明の一実施例について説明したが、本発明は上記実施例に限定されるものではなく、種々の態様をとることができる。
例えば、上記実施例では、復変調部２０はＢＳデジタル放送の受信を行うものとして説明したが、復変調部２０は、必ずしも、ＢＳデジタル放送用として構成する必要はなく、ＣＳデジタル放送等の他の衛星放送、或いは、将来運用される地上波デジタル放送等を受信し、その受信信号から所定放送チャンネルの映像及び音声信号を復調して、再度、所定伝送チャンネルのテレビ放送信号に変換するものであっても、本発明を適用して上記実施例と同様の効果を得ることができる。
【００４５】
また、上記実施例では、入力パネル５０に設けられたＵＰ・ＤＯＷＮボタンを利用して伝送チャンネルの変更指令を入力し、マイコン３０が、その変更指令に従い変調器２４が生成するテレビ放送信号の伝送チャンネルを変更するものとして説明したが、例えば、操作性を向上するために、入力パネル５０のＵＰボタン５４及びＤＯＷＮボタン５５をリモコン装置３２に設け、リモコン装置３２からマイコン３０に対して伝送チャンネルの変更指令を入力できるように構成してもよい。
【図面の簡単な説明】
【図１】実施例のＣＡＴＶシステムの全体構成を表す構成図である。
【図２】実施例の入力パネル５０の構成を表す説明図である。
【図３】実施例のマイコンにて実行される伝送チャンネル変更処理を表すフローチャートである。
【符号の説明】
２…ＶＨＦアンテナ、４…ＵＨＦアンテナ、６…ＣＳアンテナ、８…ＢＳアンテナ、１０…ヘッドエンド装置、１１…分配器、１２…送出装置、１４、１６…増幅器、２０…復変調部、２２…ＢＳデジタル受信機、２４…変調器、３０…マイコン（マイクロコンピュータ）、３１…メモリ、３２…リモコン装置、３３…受光部、３７…信号経路切換スイッチ、５０…入力パネル、５１…選択ボタン、５２…選択ランプ、５３…伝送チャンネル表示部、５４…ＵＰボタン、５５…ＤＯＷＮボタン、５６…選局チャンネル表示部、Ｌ…伝送線。
【図１】
2004072688.tif 000003
【図２】
2004072688.tif 000004
【図３】
2004072688.tif 000005